(57)【要約】【課題】  短靴を着用したままで容易に着脱できる安全で使用感に優れた短靴用の防雨カバーを提供する。【解決手段】  非透水性の軟質樹脂材料からなる略長靴形の異形円筒状に形成されるカバー胴部１１の爪先側に短靴Ｓの爪先部Ｓ１に被着する先端キャップ部１２を形成するとともに、カバー胴部１１の踵側に短靴Ｓの踵部Ｓ２に被着する後端キャップ部１３とを形成する。先端キャップ部１２と後端キャップ部１３とは、両者を互いに引き寄せあう向きに付勢する伸縮性のバンド部材１４によって間隔調節自在とする。両者間の間隔を拡大して短靴Ｓを着用したままでの容易な着脱性を実現するとともに、両者間の間隔を縮減して短靴Ｓとの挙動の一体性を実現し、優れた使用感および安全性を確保する。【選択図】  図１
0003133841.tif 000002
【実用新案登録請求の範囲】
【請求項１】
側面視において爪先側と踵側とを判別可能な略長靴形を有し全体として異形円筒状に形成するカバー胴部と、該カバー胴部の爪先側に形成する先端キャップ部と、前記カバー胴部の踵側に形成する後端キャップ部と、該後端キャップ部と前記先端キャップ部とを互いに引き寄せあう向きに付勢する伸縮性のバンド部材とを備えてなり、
前記カバー胴部と先端キャップ部と後端キャップ部とは、いずれも非透水性の軟質樹脂材料から形成されて水密に一体化され、前記先端キャップ部と後端キャップ部とは、それぞれ、成形された際の形状を維持する厚肉に設定されるとともに、前記カバー胴部は、自由変形可能な薄肉に設定され、
前記カバー胴部に前記上側開口を介して短靴を着用した足を通した上、短靴の爪先部に前記先端キャップ部を被着するとともに、短靴の踵部に前記後端キャップ部を被着し、前記バンド部材によって前記カバー胴部の下端側を短靴に沿って押さえ込んで使用することを特徴とする短靴用の防雨カバー。
【請求項２】
前記カバー胴部は、左右の側面部に引伸し可能に折り重ねたギャザ部を備え、該ギャザ部は、前記カバー胴部の丈寸法全体に及んで形成されていることを特徴とする請求項１に記載の短靴用の防雨カバー。
【請求項３】
前記バンド部材が前記先端キャップ部と後端キャップ部とのいずれか一方に対して掛脱自在であることを特徴とする請求項１又は請求項２に記載の短靴用の防雨カバー。
【請求項４】
短靴用の防雨カバーは、靴底部分又は、かかと部分を有しないことを特徴とする請求項１ないし請求項３のいずれか一項に記載の短靴用の防雨カバー。
【考案の詳細な説明】
【技術分野】
【０００１】
本考案は、特に、自転車やモータバイク乗用時において、着座姿勢をとることによってせり上がった雨着のズボン裾から落下する雨滴が、直接または靴下を介して短靴内に侵入するのを防止するための短靴用の防雨カバーに関する。
【背景技術】
【０００２】
雨天を回避して生活することはできない。殊に、日本海側においては長い梅雨時期が存在する。新聞配達人や郵便集配人にとって自転車やモータバイクは、職務を効率よく遂行するうえで必須の乗り物である。ところで、これらの職業に従事する人は、雨着は着用するものの、長靴を着用することは殆どない。長靴は機敏な動作の障害になるからである。また、一般のサラリーマン等もめったに長靴を着用しない。社内等において長靴を着用していることができないためである。
【０００３】
上記のような事情から、雨天時における雨着と短靴の組合せは決して珍しくはない。しかし、雨着と短靴の組合せにおいては、雨着のズボン裾から落下する雨滴が、直接または靴下を介して短靴内に侵入し、極めて不快な事態が発生することが指摘されている。不快な事態は、自転車、モータバイク乗用時や強風時において特に高頻度で発生する。そして、この問題に対しては、従来、次のような提案がなされている。
【特許文献１】実用新案登録３０５６０３２号公報
【特許文献２】実用新案登録３１２９２６９号公報
【特許文献３】実開平６−３３５０３号公報
【特許文献４】特開平１０−１６８６１３号公報
【特許文献５】特開２００１−３４６６０３号公報
【特許文献６】特開２００２−３０１号公報
【０００４】
これら、従来の提案の基本的な趣旨は同一であって、短靴を着用した上に更に長靴様のカバーを着用することによって、下肢部の水濡れ及び短靴内への雨水の浸入を防止しようとするものである（このような趣旨の製品を以下「短靴用の防雨カバー」と総称する）。ただし、提案の趣旨を実現する手段としての短靴用の防雨カバーの態様には、個性が見受けられる。例えば、サイズの大きい長靴そのままに近い態様のもの（特許文献２，５参照）、全体がラテックスゴム等のごく柔軟な素材からなるソックス形の態様のもの（特許文献３参照）、レインコートの裾に連結して使用する特殊なもの（特許文献４参照）、底側に短靴の踵部分を露出させるための開口を有する態様のもの（特許文献１，４，６参照）等である。
【考案の開示】
【考案が解決しようとする課題】
【０００５】
短靴用の防雨カバーに関しては、その用途からして次のような一般的要求事項がある。（１）短靴を着用したままで容易に着脱できること、（２）小さく丸めて、または適当な大きさに折り畳んで携帯することができること、（３）携帯に際しての重量が小さいこと、（４）歩行動作や風の巻き込み、車の水はね等による不定方向からの雨水に対応することができること、（５）歩行動作に危険や悪影響を来たさないこと、（６）着用した際の外観を通常的なファッション感覚において許容できるものとすること、（７）一般的に使用できる汎用性があること等である。
【０００６】
上記（１）の要求は、短靴用の防雨カバーにおいて基本的な要求である。短靴を着用したままでの着脱ができない場合は、前もって短靴用の防雨カバー内に短靴を装填しておいての着脱操作となるのであるが、この場合には、短靴用の防雨カバー靴紐を結わえることができないために、最も普及している靴紐タイプの短靴に適用することができないこととなるからである。また、靴紐タイプ以外の短靴に適用する場合であっても、短靴用の防雨カバー内で短靴を着用することは容易ではない。その一方で、（１）の要求を満たすようにした場合には、短靴用の防雨カバーが異様に大サイズのものとならざるを得ないため（特許文献２，５参照）、（６）の要求が大きく阻害されることとなる。（１）及び（６）の要求をともに充足しようとする場合には、短靴用の防雨カバーを大きく開閉する構造とする必要があるが、開閉部分を完全に防雨する要求が付加されるため、携帯重量およびコストの増大を招来する。
【０００７】
上記（２）および（３）の要求は、雨着とともに折り畳んで携帯する便宜のための要求である。出かけた後、帰宅するまでの間の降雨に対する備えのためである。この要件を欠く場合には、短靴用の防雨カバーの現実の使用頻度は著しく低下する。一枚板状のゴム底を有するものや長靴形の自己形状維持能力に優れたものほど（２），（３）の要求には対応できないと考えられる（特許文献１，２，５，６参照）。
【０００８】
上記（４）の要求は、雨水が必ずしも使用者の前方斜め上方向から降りかかるものではありえないという現実に対応するための要求であり、例えば、短靴を着用したままでの着脱性を高めるために短靴用の防雨カバーの後方全体を切り欠いたもの（特許文献６参照）においては、雨水の浸入を阻止する機能が大きく損なわれてしまう。
【０００９】
上記（５）の要求は、短靴用の防雨カバーを使用した際の安全性および使用感の要求である。この要求は、事故防止の観点から極めて重要である。通常、短靴は足の動きに伴うが、短靴用の防雨カバーが短靴の動きに確実に追従しない場合には、例えば、モータバイク乗用時のフットブレーキ操作ミスを誘発したり、歩行時に短靴用の防雨カバーが段差等に干渉したりして転倒する事故を誘発する危険があるのである。大サイズ化によって（１）の要求を満たそうとする短靴用の防雨カバーにおいては、この危険を避けることができない。短靴用の防雨カバーの上部を止着するのみでは（５）の要求を十分に満たすことができない（特許文献３，５参照）。
【００１０】
上記（６）の要求は、いわゆる見た目の問題であるが、必要な要求である（特許文献３参照）。
【００１１】
上記（７）の要求は、一般的に手軽に利用できるものであることを要求するものである。特殊な使用要件を要求すると、性能が良くても利用されない結果となるからである（特許文献４参照）。
【００１２】
本考案は、上記考察に基づき、短靴用の防雨カバーに関しての上記（１）ないし（７）の要求をバランスよく充足すること、特に、（５）の使用上の安全性に関しては、短靴用の防雨カバーと短靴との完全に一体的な挙動を実現し、転倒事故等の防止に寄与することを目的とする。
【課題を解決するための手段】
【００１３】
この目的を達成するための手段として本考案は、次のような構成を採用する。
【００１４】
本考案の請求項１に記載の短靴用の防雨カバーは、側面視において爪先側と踵側とを判別可能な略長靴形を有し全体として異形円筒状に形成するカバー胴部と、カバー胴部の爪先側に形成する先端キャップ部と、カバー胴部の踵側に形成する後端キャップ部と、後端キャップ部と先端キャップ部とを互いに引き寄せあう向きに付勢する伸縮性のバンド部材とを備えてなり、カバー胴部と先端キャップ部と後端キャップ部とは、いずれも非透水性の軟質樹脂材料から形成されて水密に一体化され、先端キャップ部と後端キャップ部とは、それぞれ、成形された際の形状を維持する厚肉に設定されるとともに、カバー胴部は、自由変形可能な薄肉に設定され、カバー胴部に上側開口を介して短靴を着用した足を通した上、短靴の爪先部に先端キャップ部を被着するとともに、短靴の踵部に後端キャップ部を被着し、バンド部材によってカバー胴部の下端側を短靴に沿って押さえ込んで使用することを特徴とする。
【００１５】
上記構成を有する短靴用の防雨カバーは、カバー胴部と先端キャップ部と後端キャップ部とバンド部材とからなり、全体としては略長靴形を呈する。先端キャップ部と後端キャップ部とは分離しており、折り畳む際の障害となる一枚板状の底部分を有しないので簡単に折り畳むことができる。ただし、先端キャップ部と後端キャップ部とは、カバー胴部を介して連続しており、取扱い上は、一物品として取り扱うことができる。また、カバー胴部は、自由変形することができる薄肉に形成されているとともに、先端キャップ部と後端キャップ部とは、バンド部材によって互いに引き寄せあう向きに付勢されている。この結果、先端キャップ部と後端キャップ部との間の間隔が、短靴のサイズに対して大きい場合であっても、短靴用の防雨カバーは、先端キャップ部と後端キャップ部とによって短靴を爪先側と踵側とからバンド部材の張力によって挟み込むようにして位置決めされる。すなわち、このことは、短靴用の防雨カバーを短靴を着用したまま着脱することができるサイズに設定する場合においても、短靴用の防雨カバーを着用した時点では、短靴用の防雨カバーは、短靴に対して遊びなく確実にフィットし、短靴と挙動を一にすることができる。したがって、歩行時の違和感や、短靴用の防雨カバーが短靴の挙動に伴わずに予想外の動きをすることによる転倒事故等の誘発を阻止することができる。なお、先端キャップ部と後端キャップ部との間隔が変化することに伴うカバー胴部の波打ち様の変形については、カバー胴部の下端部はバンド部材によって押さえ込まれ、不要な動きが阻止されるので、使用に際しての障害とはならない。
【００１６】
本考案の請求項２に記載の短靴用の防雨カバーは、カバー胴部の左右の側面部に引伸し可能に折り重ねたギャザ部を備え、このギャザ部は、カバー胴部の丈寸法全体に及んで形成されていることを特徴とする。
【００１７】
上記構成を有する短靴用の防雨カバーは、カバー胴部のギャザ部を展開するように変形させることによって、カバー胴部自体のサイズおよび先端キャップ部と後端キャップ部との間隔を拡大することができるとともに、展開したギャザ部を折り畳むように復帰させることによって、カバー胴部自体のサイズおよび先端キャップ部と後端キャップ部との間隔を縮小することができる。すなわち、短靴用の防雨カバー全体のサイズを変化させることができる。したがって、短靴用の防雨カバー全体のサイズを大きくして短靴を履いたまま簡単に着脱することができるとともに、短靴用の防雨カバー全体のサイズを縮小して短靴に確実にフィットさせることができる。なお、この際のカバー胴部の変形は、ギャザ部の機能に基づく変形であるため、カバー胴部の外観が粗雑になるのを防止することができる。
【００１８】
本考案の請求項３に記載の短靴用の防雨カバーは、バンド部材が先端キャップ部と後端キャップ部とのいずれか一方に対して掛脱自在であることを特徴とする。
【００１９】
上記構成を有する短靴用の防雨カバーは、先端キャップ部と後端キャップ部との間に加わる張力の有無をバンド部材の掛脱操作によって選択することができる。したがって、張力を除去して短靴用の防雨カバーを着用し、着用後に張力を付与して短靴との動作上の一体化を実現するという便利な利用の仕方ができる。
【考案の効果】
【００２０】
本考案の短靴用の防雨カバーは、自由変形可能な略長靴形のカバー胴部に、雨水から保護しようとする短靴の爪先部に被着する先端キャップ部と短靴の踵部に被着する後端キャップ部とを分離された状態で形成することにより、カバー胴部を変形させて先端キャップ部と後端キャップ部との間隔を変化させることができるので、短靴用の防雨カバーのサイズを短靴を着用したまま容易に着脱可能な大サイズに設定した場合においても、着用後に先端キャップ部と後端キャップ部との間隔を短縮し、伸縮性のバンド部材でその間隔を保持することができるので、短靴用の防雨カバーを短靴に確実にフィットさせることができる。したがって、短靴を着用したままでの着脱の自在性と、短靴と短靴用の防雨カバーとが同一の挙動をすることによる違和感を伴わない着用感の実現することができるとともに、短靴用の防雨カバーが短靴に伴わない運動をすることに起因する転倒事故等の発生を未然に防止し、安全性の確保に寄与することができる。
【考案を実施するための最良の形態】
【００２１】
以下、図面を引用しながら本考案の実施の形態を説明する。
短靴用の防雨カバー１０は、異形円筒状に形成するカバー胴部１１と、カバー胴部１１の爪先側に形成する先端キャップ部１２と、カバー胴部１１の踵側に形成する後端キャップ部１３と、後端キャップ部１３と先端キャップ部１２とを互いに引き寄せあう向きに付勢する伸縮性のバンド部材１４とからなり、側面視において爪先側と踵側とを判別可能な略長靴形に形成されている（図１）。
【００２２】
短靴用の防雨カバー１０は、ポリエチレン、ポリプロピレン、塩化ビニル、ゴム系樹脂等の非透水性の樹脂材料をブロー成型し、ブロー成型上必要であって短靴用の防雨カバー１０としては不要な部分である底部をトリミングしてなる。すなわち、短靴用の防雨カバー１０は、底（靴底）部分を有しない。このため、靴のかかと部の滑り止め効果がそのまま機能する構造になっている。なお、靴底側の外周にゴムを配するなどして伸縮性をもたせたり、靴のかかと部分だけが除かれた（かかと部分だけ露出）状態にすることも可能である。
【００２３】
カバー胴部１１は、厚さ０．３ｍｍないし０．５ｍｍの薄肉に形成され自由に変形することができる。ただし、カバー胴部１１の両側の側面部には、それぞれギャザ部１１Ｇ，１１Ｇがカバー胴部１１の丈寸法全体に及んで形成され、ギャザ部１１Ｇは、カバー胴部１１の自由変形性を利用して折畳み動作と展開動作とをすることができる。カバー胴部１１は、ギャザ部１１Ｇにおいて３枚重ね状態となっている。カバー胴部１１は、折り畳んだ状態を常態とするギャザ部１１Ｇの補強作用によって自立性を付与されており、直立状態を維持することができる。なお、ギャザ部１１Ｇの折重ね幅Ｖ１は、３．５ｃｍ程に設定され、ギャザ部１１Ｇの内面に配設する面ファスナ１１Ｍによって折畳み状態で固定することができる（図２）。
【００２４】
先端キャップ部１２は、保護対象である短靴Ｓの爪先部Ｓ１に近似する形状に形成され、爪先部Ｓ１に嵌め込むように被着することができる。同様に、後端キャップ部１３は、短靴Ｓの踵部Ｓ２に近似する形状に形成され、踵部Ｓ２に嵌め込むように被着することができる（図１，図２）。先端キャップ部１２と後端キャップ部１３とは、３ｍｍないし５ｍｍの厚肉に形成され、形成された際の形状を維持することができる。ただし、使用する材質の有する性質としての変形は許容される。先端キャップ部１２の上部中央位置にはフック１２Ｆが設けられるとともに、後端キャップ部１３には、上下一対のリブ１３Ｔ，１３Ｔが突設されている。
【００２５】
バンド部材１４は、十分な伸縮範囲を有するソリッドゴム製のバンドであり、先端キャップ部１２のフック１２Ｆと後端キャップ部１３の上下のリブ１３Ｔ，２３Ｔとの間に掛け回して使用される。
【００２６】
上記構成を有する短靴用の防雨カバー１０は、短靴Ｓを履いたまま簡単に着脱することができる上に、着用した場合においては、短靴Ｓに確実にフィットさせることができる。短靴用の防雨カバー１０の着脱は、バンド部材１４を先端キャップ部１２のフック１２Ｆから外し、折り畳まれていたギャザ部１１Ｇを展開して行う。
【００２７】
ギャザ部１１Ｇの折重ね幅Ｖ１が３．５ｃｍに設定されている場合、ギャザ部１１Ｇの展開幅Ｖ２は、７ｃｍとなる（図３（Ａ），（Ｂ））。すなわち、ギャザ部１１Ｇを展開する前の短靴用の防雨カバー１０のサイズＬ１に対して、展開後の短靴用の防雨カバー１０のサイズＬ２は７ｃｍ拡大する（図２）。また、カバー胴部１１の上側開口１１Ｈの前後長も略７ｃｍ拡大する（図３）。この結果、短靴Ｓをカバー胴部１１内を簡単に通過させることができるのである。次に、短靴Ｓの爪先部Ｓ１と踵部Ｓ２にそれぞれ先端キャップ部１２と後端キャップ部１３を位置決めし、両者間にバンド部材１４を掛けることによって、短靴Ｓに対して短靴用の防雨カバー１０を固定することができる。この際ギャザ部１１Ｇは、いわば自動的に折畳み状態に復帰し、カバー胴部１１の上端側は面ファスナ１１Ｍによって拘束され、下端側はバンド部材１４によって拘束される。
【００２８】
短靴用の防雨カバー１０のサイズが大幅に変化するので、サイズの異なる短靴Ｓに対して広範囲の適合性を発揮することができる。また、短靴用の防雨カバー１０は、底を有しないので、保護対象である短靴Ｓの踵部材Ｓ３及び靴底部材Ｓ４の機能を阻害しないことも大きなメリットである。
【００２９】
短靴用の防雨カバー１０は、ギャザ部１１Ｇを省略した形態として実施することもできる（図４）。
【００３０】
ギャザ部１１Ｇを有しない形態の短靴用の防雨カバー１０は、ギャザ部１１Ｇを形成したとしても維持することができないような薄い素材でカバー胴部１１を形成する場合に適用することができる。この場合、カバー胴部１１の上端部に例えば止着用の締め紐１５を設けることができる。また、バンド部材１４は、一端を先端キャップ部１２に固定したものとし、他端をボタン１４Ｂで後端キャップ部１３に留めることができるようにすることによって、片手でカバー胴部１１の下端側を適当な状態に畳んで押さえながらバンド部材１４で固定することができる。
【００３１】
上記実施の形態において示した短靴Ｓは、靴紐タイプの紳士用のものであり、もっとも普及していると思われデザインのものを例示したものである。したがって、先端キャップ部１２および後端キャップ部１３は、この種の短靴用にデザインしたものであるが、例えば、婦人用のハイヒール等が保護対象である場合には、先端キャップ部１２及び後端キャップ部１３のデザインをこの種のものに適合するように設計変更することが望ましい。短靴用の防雨カバー１０において、男女共用とすることの一般的要望はないからである。
【図面の簡単な説明】
【００３２】
【図１】本考案の実施の形態を示す斜視図である。
【図２】上記実施の形態おける縦断面図である。
【図３】上記実施の形態おける動作説明図である。
【図４】本考案の他の実施の形態を示す側面図である。
【符号の説明】
【００３３】
Ｓ        短靴
１０      短靴用の防雨カバー
１１      カバー胴部
１１Ｇ    ギャザ部
１１Ｈ    上側開口
１２      先端キャップ部
１３      後端キャップ部
１４      バンド部材
【図１】
0003133841.tif 000003
【図２】
0003133841.tif 000004
【図３】
0003133841.tif 000005
【図４】
0003133841.tif 000006